(57)【特許請求の範囲】
【請求項１】
シートを第１搬送路に沿って搬送させる第１搬送手段と、
カードを前記第１搬送路の途中に合流する第２搬送路に沿って搬送させる第２搬送手段と
を備え、
前記第２搬送路は、前記カードが挿入される挿入口と、前記第１搬送路の一部に連通する合流口と、前記挿入口から挿入された前記カードの幅方向の両端を搬送方向に沿ってガイドする壁部とを有し、
前記壁部は、前記カードの下面を案内する第１壁部と、前記カードの上面を案内する第２壁部と、を有し、
前記第１壁部は前記カードの搬送方向に対して略平行であり、前記第２壁部は前記カードの搬送方向に対して傾きをもち、前記カードの幅方向における前記壁部の間隔は前記挿入口から前記合流口との間で、搬送方向下流側に向かって徐々に狭まり、
前記合流口における前記壁部の間隔は、前記カードの幅と同等であることを特徴とするシート搬送装置。
【請求項２】
立てた状態のシートを第１搬送路に沿って搬送させる第１搬送手段と、
立てた状態のカードを前記第１搬送路の途中に合流する第２搬送路に沿って搬送させる第２搬送手段と
を備え、
前記第２搬送路は、前記カードが挿入される挿入口と、前記第１搬送路の一部に連通する合流口と、前記挿入口から挿入された前記カードの幅方向の両端を搬送方向に沿ってガイドする壁部とを有し、
前記壁部における前記カードの上面を案内する部分は、前記挿入口から前記合流口との間で、搬送方向下流側に向かって徐々に狭まる傾斜部を有し、
前記第２搬送手段は、前記第２搬送路の下方側に設けられることを特徴とするシート搬送装置。
【請求項３】
前記第２搬送手段は前記第２搬送路内に配置され、
前記カードの幅方向における前記壁部の間隔は、前記挿入口から前記第２搬送手段までは一定であることを特徴とする請求項１または２に記載のシート搬送装置。
【請求項４】
前記第１搬送路に配置される画像読み取り部を有することを特徴とする請求項１から３のいずれか一項に記載のシート搬送装置。
【発明の詳細な説明】
【技術分野】
【０００１】
本発明は、手形や小切手等の有価証券等の原稿の画像や、運転免許証などのIDカードの画像、手形や小切手等に印刷された磁気インク文字を読み取る小切手処理装置に関するものである。
【背景技術】
【０００２】
従来、銀行等の金融機関に持ち込まれた手形・小切手等（以下、小切手類と記す）は各銀行にて小切手類の両面の画像を撮影し、さらに印刷された磁気インク文字（ＭＩＣＲ文字）を読み取る装置を用いて自動的に分別集計され、手形交換所に持ち込まれている。近年、この手形交換所への持ち込み前の作業効率を向上させるために、小切手類に印刷された磁気インク文字の読み取りと、両面画像イメージの読み取りの両方を行うことが可能な小切手処理装置が実用化されている。
【０００３】
この小切手処理装置の画像イメージ読取部分については、近年の情報のデジタル化の流れにより、ＣＣＤ（Ｃｈａｒｇｅ  Ｃｏｕｐｌｅｄ  Ｄｅｖｉｃｅ）やコンタクトイメージセンサ（ＣＩＳ）で読み取り、読み取った画像データをデジタル処理することにより、コンピュータで簡単に情報を管理運用できるようになっている。
【０００４】
ＩＤカードなどに代表されるカード類の画像イメージを読取るための構造が特許文献１に開示されている。
【０００５】
特許文献１に記載された構成のように２つの平行なリブの間にカードを挿入した場合、カードを挿入した時のカードの姿勢によって、カードの先端部は何れか一方のリブに先に接触し、そのリブに沿ってカードの傾きが矯正される。しかしカードの印刷面を立てた状態で搬送する小切手処理装置に特許文献１の構成を適用すると、カードの上面側のリブにカードが沿った場合にカードは下面の全てあるいは一部が搬送面から浮いた状態で搬送されることになる。
【先行技術文献】
【特許文献】
【０００６】
【特許文献１】特開２０１４−９９８２４号公報
【発明の概要】
【発明が解決しようとする課題】
【０００７】
下面が浮いたカードは、搬送中においてカード自体の自重やカードが接触する搬送面から受ける力によって搬送面に対する傾きが変化しやすい。画像読み取り時にカードの傾きが変化すると、読み取った画像イメージが曲線状に曲がる問題が発生するなど、種々の問題が生じる。但し、カードの下面が搬送面から可能な限り浮かないように二つのリブ間の幅をカードの幅とほぼ等しくすると、カードが挿入しづらくなる。
【課題を解決するための手段】
【０００８】
本発明の小切手処理装置はこのような事情を鑑み、
シートを第１搬送路に沿って搬送させる第１搬送手段と、
カードを前記第１搬送路の途中に合流する第２搬送路に沿って搬送させる第２搬送手段と
を備え、
前記第２搬送路は、前記カードが挿入される挿入口と、前記第１搬送路の一部に連通する合流口と、前記挿入口から挿入された前記カードの幅方向の両端を搬送方向に沿ってガイドする壁部とを有し、
前記壁部は、前記カードの下面を案内する第１壁部と、前記カードの上面を案内する第２壁部と、を有し、
前記第１壁部は前記カードの搬送方向に対して略平行であり、前記第２壁部は前記カードの搬送方向に対して傾きをもち、前記カードの幅方向における前記壁部の間隔は前記挿入口から前記合流口との間で、搬送方向下流側に向かって徐々に狭まり、
前記合流口における前記壁部の間隔は、前記カードの幅と同等であることを特徴とする。
【発明の効果】
【０００９】
本発明によれば、カードをカード挿入口へ挿入しやすく、また、小切手類が搬送される搬送路にカードが合流するまでのカード搬送路において、立てた状態で搬送されるカードの搬送面に対する傾きが矯正されるので、カードの搬送中に傾きが変化することによる影響を低減することができる。
【図面の簡単な説明】
【００１０】
【図１】本実施形態に係る小切手処理装置の全体構成の概略図。
【図２】シートＳが排出される時の搬送路合流口付近の図。
【図３】ＩＤカードＣが排出される時の搬送路合流口付近の図。
【図４】ＩＤカードＣが排出される時の搬送路合流口付近を装置側面方向から見た図。
【図５】カード搬送路の概略図。
【図６】先端が浮いたカードの傾きが矯正される様子を表す図。
【図７】後端が浮いたカードの傾きが矯正される様子を表す図。
【図８】カード搬送路の別形態の概略図。
【発明を実施するための形態】
【００１１】
（第一実施形態）
以下、本発明に係る小切手処理装置の好適な実施形態について図を参照して詳細に説明する。
【００１２】
図１は、本実施形態が適用された小切手処理装置１００を示す。この小切手処理装置１００は、銀行などの金融機関に顧客が持ち込こんだ手形・小切手などの両面の画像イメージと磁気インク印刷文字の両方を一回の搬送で読み取ることができる。画像イメージの読取部にはＣＣＤ（Ｃｈａｒｇｅ  Ｃｏｕｐｌｅｄ  Ｄｅｖｉｃｅ）やコンタクトイメージセンサ（ＣＩＳ）などが使用され、読み取った画像情報をデジタル信号データに変換することにより、コンピュータで簡単に情報を管理運用できるようになっている。
【００１３】
搬送ローラー群を駆動する不図示の搬送モーター、給紙部のローラー群を駆動する不図示の給紙モーターを有し、これらの部品を含め装置全体を制御し、ホストコンピュータなどの上位装置との間で通信を行うコントローラーユニット４０を備えている。装置の手前側には電源ボタン、小切手の処理を開始するスタートボタン等オペレーターが操作する操作パネル６０が設けられている。小切手処理装置１００は手形あるいは小切手であるシートＳに印刷されたＭＩＣＲ文字、および両面の画像イメージを読み取るため、ここではシートＳをＭＩＣＲ文字の文字列方向に搬送して読み取りを行ない、インターフェースケーブルで接続された不図示の上位装置に読み取ったＭＩＣＲ文字データおよび両面の画像データを送信する。また、装置前面には顧客のＩＤカードＣの画像を読み取るためのカード挿入口２３が設けられている。カード挿入口２３から挿入されたＩＤカードＣはシートＳの画像を読み取る読取センサーと同じ読取センサー３０を使って画像イメージが読み取られる。
【００１４】
以下、小切手類の搬送の流れを簡単に記す。小切手類が搬送される搬送路７の形状はＵ字型となっている。小切手類は、印刷面が給紙ローラー４に接触するように立てた状態で装置前面側のホッパー２に載置される。ホッパー２に載置された小切手類は、給紙ローラー４で搬送路７に給送され、送りローラー５によって搬送される。
【００１５】
途中、永久磁石８によって磁化された小切手類は搬送ローラー対９によって磁気ヘッド１２の位置まで搬送され、磁気インク文字を読み取られる。さらに搬送ローラー対１３及び１４によって搬送された小切手類は、ＣＣＤまたはコンタクトイメージセンサから成る画像読取センサー対３０によって画像イメージを読み取られた後、装置前面側の排紙スタッカー２１に排出される。
【００１６】
さらに小切手処理装置１００は小切手類の読み取りに加え、顧客情報の確認のために顧客の運転免許証等のＩＤカードの画像イメージの読み取りを行う。顧客は小切手処理装置１００を操作するオペレーターにＩＤカードを手渡し、オペレーターはＩＤカードを小切手処理装置１００のカード挿入口２３に挿入する。カード挿入口２３に挿入されたカードは、カード搬送ローラー２５によってカード専用の搬送路２６を搬送された後、小切手類の搬送路７に合流し、搬送ローラー対１７によって画像読取センサー対３０側に搬送される。搬送ローラー対１４によって搬送されたカードはカード待避口２８に到達した後、搬送ローラー対１４によって画像読取センサー対３０側に搬送され、画像読取センサー対３０によって画像イメージを読み取られる。その後、搬送ローラー対１７によって搬送され、排紙スタッカー２１に排出される。
【００１７】
ＩＤカードなどのカード類は小切手類の搬送路７に合流して搬送されるため、小切手類と同様に立てた状態でＩＤカード挿入口２３に挿入され、搬送される。カード挿入口２３のカード幅方向の大きさ（図における紙面に垂直な方向）は、オペレーターがカードを挿入しやすいように、カードの幅よりも大きく設けるのが望ましい。しかしカード挿入口２３の大きさを過度に大きくすると、カードが搬送される方向に対して傾いた状態で挿入されることがある。カードが傾いたまま搬送されると、読み取った画像イメージが斜めになってしまう。さらにＣＩＳでカードの画像イメージを読み取っている時にカードの傾きが変化すると、カードを読み取った画像イメージが曲線状に曲がってしまう。
【００１８】
カードが傾いて挿入されるのを防ぐためにカード挿入口２３のカード幅方向の大きさをカードの幅とほぼ等しくすると、オペレーターがカードを挿入しづらい。
【００１９】
従ってカードをカード挿入口２３に挿入しやすくし、かつ挿入されるカードの傾きを防止あるいは矯正することが求められている。そのために、本実施形態においては、カードの幅方向におけるカード挿入口２３の幅（本体を載置した場合の高さ方向）は搬送方向下流側に向かって徐々に狭まり、カード搬送路に接続する部分においては、カードの幅と同等となるようにしている。これにより、カードの挿入を容易に行えるようにしつつも、カードが傾いて搬送されることを防いでいる。この点については、後で詳述する。
【００２０】
トレイ１は小切手処理装置１００の前面に回動可能に支持され、小切手処理装置１００の非使用時には本体前面に収納され装置前面を覆うカバーとなり、小切手処理装置１００の使用時には回動して装置前面に展開され、小切手処理装置１００に設けられたホッパー２に積載される手形・小切手の後端と、画像イメージと磁気インク印刷文字の読取を終えて排紙トレイ２１に排出された手形・小切手の先端を保持する機能を有している。
【００２１】
ホッパー２にシートＳが積載されると、ホッパー２に装着されている積載検知センサー２ａによってシートＳが認識される。この状態で、オペレーターが操作パネル６０上のスタートボタンを押すと、前述したホストコンピュータなどの上位装置からコントローラーユニット４０に読取開始信号が送信され、不図示の給紙モーターにより給紙押圧部材３が駆動されシートＳを給紙ローラー４に押し付ける。給紙ローラー４はシートＳを送りローラー５に給送する。給送されたシートＳは、送りローラー５で装置内のシート搬送路７へ搬送される。
【００２２】
このとき、給紙ローラー４で給送されたシートＳが複数枚の場合、送りローラー５に対向して配置された分離ローラー６によって１枚だけに分離して搬送される。送りローラー５と分離ローラー６はそれぞれくし歯構造になっており、送りローラー５の凸部と分離ローラー６の凹部が、送りローラー５の凹部と分離ローラー６の凸部が、それぞれ噛み合うように配置される。送りローラー５と分離ローラー６の軸間は軸間調整機構５０によって調整可能である。オペレーターが調整ダイヤル５５を回転させると軸間調整機構５０を介し、送りローラー５と分離ローラー６の外周面の隙間が小切手の分離に最適な隙間となるよう調整される。
【００２３】
シート搬送路７へ搬送されたシートＳは、シート搬送路７に配置された永久磁石８によってシートＳに印刷されたＭＩＣＲ文字の磁化方向が整列され、搬送ローラー対９によってさらに装置内部へと搬送される。搬送ローラー対９と搬送ローラー対１３の間には、ＭＩＣＲ文字の読取タイミングをとるシート検知センサー１０、重送検知センサー１１、磁気ヘッド１２、磁気ヘッド１２の対向側にはシートＳを磁気ヘッド１２に押圧する対向ローラー１２ａが配置されている。
【００２４】
装置の小型化を図るため、小切手の下側に印刷されたＭＩＣＲ文字を読み取る磁気ヘッド１２が搬送路下端側に、シートＳの重送を検知する重送検知センサー１１がその上側に配置される。分離ローラー６によって１枚に分離されずに複数枚の小切手がシート搬送路７に送り出された場合、重送検知センサー１１によって重送が検知される。重送が検知されると後続の小切手の給送並びに、重送が検知された小切手の搬送が停止される。ここで、重送した小切手より前に他の小切手がシート搬送路７内にある場合は、小切手の給送のみを停止し、重送した小切手より前の小切手が排紙ローラー対１７によって排紙スタッカー２１に排紙された後に重送した小切手の搬送を停止する。
【００２５】
重送検知センサー１１で重送検知を行うと同時にシートＳは対向ローラー１２ａによってＭＩＣＲ文字が印刷された部分が磁気ヘッド１２に密着されるように押し付けられ、ＭＩＣＲ文字が読み取られる。ＭＩＣＲ文字が磁気ヘッド１２で読み取られたシートＳは搬送ローラー対１３によってエンドーサー１５に搬送される。エンドーサー１５は搬送されたシートＳの裏面に不図示の上位装置との通信により指示された小切手を処理した日付や金融機関の名称等の文字列を印刷する。エンドーサー１５を通過したシートＳは搬送ローラー対１４より搬送され、レジストセンサー１６で画像読み取りのタイミングを取ったのち、シートＳの両面の画像を読み取る画像読取センサー対３０に搬送され、シートＳの両面の画像が読み取られる。画像読取センサー３０には、内部に発光素子であるＬＥＤと、集光レンズと、受光素子を有し、カラー・白黒の両方でシートＳの両面の画像イメージを読取可能である。
【００２６】
シートＳは画像を読み取られた後に排紙ローラー対１７により排紙スタッカー２１に排出される。排紙スタッカー２１には、排出されたシートＳの積載量に応じて揺動可能な排紙ガイド１８及びシート押さえ２０と、排紙スタッカー２１に対して固定された排紙ガイド面１９が設けられている。排紙ガイド面１９は整列面２１ａとの間でシートＳを積載可能な領域を形成する。排出されたシートＳは排紙ガイド１８によって搬送方向が変更され、整列面２１ａに向かって排出される。排出されたシートＳはシート押さえ２０によって整列面２１ａに押し付けられながら整列面２１ａに沿って進み、シートストッパー２２で先端が規制される。続けて排出されるシートも同様に順次排出されたシートに重なりながら排出され、シートストッパー２２で先端が揃えられて整列される。
【００２７】
次にＩＤカードＣがユーザーによって小切手処理装置１００にセットされてから排紙スタッカー２１に排出されるまでの流れを説明する。
【００２８】
装置前面に設けられたカード挿入口２３にＩＤカードＣをシートＳと同様に立てた状態で挿入すると、カード検知センサー２４によってＩＤカードＣが検知され、不図示の給紙モーターと不図示の搬送モーターが回転する。不図示の搬送モーターは搬送ローラー対１４及び排紙ローラー対１７を小切手搬送時とは逆方向に回転させる。不図示の給紙モーターはカード搬送ローラー２５を、カードを引き込む方向に回転させる。カード搬送ローラー２５によってＩＤカードＣは装置内に設けられたカード搬送路２６に搬送される。
【００２９】
カード搬送路２６を進んだＩＤカードＣは、カード搬送路２６とシート搬送路７が合流する位置である搬送路合流口２７を通過し、排紙ローラー対１７に到達する。排紙ローラー対１７によりＩＤカードＣを搬送ローラー対１４に搬送される。搬送ローラー対１４に送られたＩＤカードＣは搬送ローラー対１４をそのまま直進し、その先に設けられたカード待避口２８に搬送される。ＩＤカードＣの後端がレジストセンサー１６を過ぎると、不図示の搬送モーターが回転を一旦停止し、小切手搬送時と同方向に回転を開始する。
【００３０】
小切手の画像イメージ読取と同様に、レジストセンサー１６で画像読み取りのタイミングを取ったのち、画像読取センサー対３０に搬送され、ＩＤカードＣの両面の画像が読み取られる。画像が読み取られたＩＤカードＣは排紙ローラー１７によって排紙スタッカー２１に排出される。ＩＤカードＣは排紙ガイド１８を回転させ、排紙ガイド面１９の下側を通って排出される。
【００３１】
次にシートＳとＩＤカードＣが排紙スタッカー２１に排出される時を例に、排紙スタッカー２１内の各部品のより詳しい構成と動作を図２から図４を用いて説明する。
【００３２】
図２は排紙ガイド１８付近（図１の点線部分）を上方から見た図であって、カードの高さ方向が図の鉛直方向と一致するように見た時の図である。図２及び図３は図１の点線部分を拡大した図であり、図２はシートＳが排出される時に上方から見た図を、図３はＩＤカードＣが排出される時に左面（図１に示す）から見た図である。
【００３３】
図２や図３に示すように排紙ガイド面１９は排出されるＩＤカードＣの高さよりも高い位置に設けられている。また排紙ガイド１８は排紙ガイド面１９よりも低い位置に設けられる。
【００３４】
ところでシートＳが排紙スタッカー２１内に排出される際、シートＳは排紙ガイド面１９と整列面２１ａとの間の領域に積載されるため、排紙ガイド面１９は立った状態で排出されるシートＳの高さよりも低い位置に設けられる。従って排紙ガイド面１９の高さ方向の位置は、ＩＤカードＣの高さよりも高くシートＳの高さよりも低い位置に設けられる。
【００３５】
本実施例では、ＩＤカードＣの高さを国際規格ＩＤ−１のカードの高さである５４ｍｍ、シートＳの高さを一般的な小切手の高さである７０ｍｍとして、排紙ガイド面１９の高さ方向の位置を排出されるカードの底面を案内する面から５７．５ｍｍの位置にしている。
【００３６】
図２に示すように、柔らかく曲げやすいシートＳは排紙ローラー対１７によって排出される最中に排紙ガイド１８によって排出方向を曲げて変更させることができる。しかしシートＳに比べて曲げに対して強いＩＤカードＣは、シートＳのように排出されている最中に排出方向を曲げて変更させることができない。このため図４に示すようにＩＤカードＣは、カードの先端側の面が揺動可能な排紙ガイド１８に当接して排紙ガイド１８を回転させ、排紙ローラー対１７から排出された時の搬送方向を保ったまま、排紙ガイド面１９の下を通って排出される。
【００３７】
次にカード搬送路２６のより詳しい構成と搬送されるＩＤカードＣの動きを説明する。図５は、図１に示す左面側からカード搬送路２６を見たときの簡略図である。
【００３８】
ＩＤカードＣは後端をトレイ１に支持されてカード挿入口２３に挿入される。挿入されたＩＤカードＣはカード検知センサー２４により検知され、カード搬送ローラー２６によって搬送路合流口２７に搬送される。搬送路合流口には排紙ローラー対１７があり、排紙ローラー対１７によって搬送路７に向けて搬送される。
【００３９】
カード搬送路２６は、ＩＤカードＣの装置上面側の面を案内する上カードガイド２９ａと、ＩＤカードＣのカード幅方向の面のうちの下面を案内する下カードガイド２９ｂによって囲まれている。
【００４０】
画像読取センサー対３０は、発光素子及び受光素子が装置の鉛直方向に並ぶように配置されており、下カードガイド２９ｂは画像読取センサー対３０の発光素子及び受光素子が並ぶ方向に対して垂直となるように配置されている。上カードガイド２９ａは、カード挿入口２３から搬送路合流口２７に近づくにつれて上カードガイド２９ａと下カードガイド２９ｂとで形成される搬送路の鉛直方向の間隔が徐々に狭くなるように、下カードガイド２９ｂに対して傾いて設けられている。
【００４１】
本実施形態では、オペレーターがカード搬送ローラー２５の位置までカードを挿入しやすいように、カード搬送ローラー２５の位置までは搬送路の鉛直方向の間隔を広く一定にとり、カード搬送ローラー２５の位置から排紙ローラー対１７の位置までは搬送路の鉛直方向の間隔が徐々に狭くなる構成としている。こうすることによって、カードをカード搬送ローラー２５まで挿入し易くし、カード搬送ローラー２５まで挿入されたカードはカード搬送ローラー２５によって引き込まれ、下カードガイド２９ｂに対して傾いてカード挿入口２３に挿入されたＩＤカードＣは、カード搬送路２６を搬送されると上カードガイド２９ａ及び下カードガイド２９ｂによって傾きを矯正される。
【００４２】
ＩＤカードＣが搬送路合流口２７を通過し終えるときのＩＤカードＣの傾きは、搬送路合流口２７におけるカード搬送路の鉛直方向の間隔ＬＡに依る。距離ＬＡがＩＤカードＣの幅の長さに近いほど、上カードガイド２９ａ及び下カードガイド２９ｂによってカードの傾きが小さくなるように矯正される。従って距離ＬＡは、ＩＤカードＣの幅の長さの規格やカード搬送路２６を構成する部品の公差などを考慮し、カードが確実に通過できる範囲で可能な限り短く設定される。本実施例ではカードの幅の長さ５４ｍｍに対して距離ＬＡを５４．５ｍｍとしている。
【００４３】
カードの挿入のしやすさは、カード挿入口２３におけるカード搬送路の鉛直方向の間隔ＬＢに依る。しかし距離ＬＢが過度に長いと、カード挿入時に許容されるカードの傾きが大きくなる。過度に傾いて挿入されたＩＤカードＣが搬送されると、ＩＤカードＣが上カードガイド２９ａと下カードガイド２９ｂとの間で挟まって搬送が停止する虞がある。
【００４４】
従って距離ＬＢは、傾いて挿入されたＩＤカードＣが二つのカードガイド間で詰まることなく滑らかに搬送でき、かつ可能な限り長くしてＩＤカードを挿入しやすい長さに設定される。本実施例では距離ＬＢを５８．５ｍｍとし、カードを挿入しやすくするとともに、上カードガイド２９ａの傾斜部に傾いたＩＤカードが衝突して搬送が停止されるのを防いでいる。
【００４５】
図６及び図７はＩＤカードＣの傾きが搬送中に矯正される様子を簡略して表した図である。
【００４６】
図６はＩＤカードＣの先端側が後端側よりも下カードガイド２９ｂから浮いた状態でカード挿入口２３に挿入された時を表す。ＩＤカードＣはカード搬送ローラー２５によってカード搬送路２６を搬送されるが、図６のように、カード搬送ローラー２５をカード搬送路２６の下方側に設けた場合、ローラーに当接している部分に搬送力が加わるために、より傾きが促進される方向に力が働くが、ＩＤカードＣの上面の先端側が上カードガイド２９ａに接触する。ＩＤカードＣの上面の先端側が上カードガイド２９ａに沿って搬送されると、上カードガイド２９ａの傾きによりＩＤカードＣの傾きが矯正される。
【００４７】
図７はカードの後端側が先端側よりも下カードガイド２９ｂから浮いた状態でカード挿入口２３に挿入された時を表す。ＩＤカードＣはカード搬送路２６を搬送され、ＩＤカードＣの上面の後端側が上カードガイド２９ａに接触する。ＩＤカードＣの上面の後端側が上カードガイド２９ａに沿って搬送されると、上カードガイド２９ａの傾きによりＩＤカードＣの傾きが矯正される。
【００４８】
上カードガイド２９ａや下カードガイド２９ｂの位置関係は以上で説明した構成に限定されるものではない。例えば図８に示すように、カード挿入口２３の位置から上カードガイド２９ａが始まり、搬送路合流口２７も上流側の位置で上カードガイド２９ａ傾斜が終わるようにしても良いし、カード挿入口２３の近傍と搬送路合流口２７の近傍の両方に搬送幅が一定の部分を設けて傾斜を設けない構成としてもよい。装置を構成する他の部品との配置関係等に応じて、上カードガイド２９ａや下カードガイド２９ｂの位置関係を適宜変更可能である。
【００４９】
以上説明したように、本発明に係る一実施形態においては、カード挿入口２３へのユーザーの手動によるカード挿入時の角度ばらつきを、カード搬送路２６内特に搬送路合流口にカードが到達する前に矯正できるため、搬送路７へ合流するカードは、搬送路７に合流する時点で真直ぐな姿勢となり、その後に、小切手専用搬送路内で真直ぐカードを搬送する（スイッチバック方式による搬送をする）ことができる。
これにより、カード画像の傾き補正などの画像処理負荷が軽減されるため、装置全体の読み取りの高速処理が可能となる。
【符号の説明】
【００５０】
１      トレイ
７      搬送路
２３    カード挿入口
２６    カード搬送路
２７    搬送路合流口
２９a   上カードガイド
２９ｂ  下カードガイド
Ｃ      ＩＤカード
ＬＡ    搬送路合流口におけるカード搬送路の鉛直方向の間隔
ＬＢ    カード挿入口におけるカード搬送路の鉛直方向の間隔
【図１】
0006744125.tif 000002
【図２】
0006744125.tif 000003
【図３】
0006744125.tif 000004
【図４】
0006744125.tif 000005
【図５】
0006744125.tif 000006
【図６】
0006744125.tif 000007
【図７】
0006744125.tif 000008
【図８】
0006744125.tif 000009